(57)【要約】【目的】  本発明は、操作レバーの操作部に対する取付強度を向上させることができ且つ操作部に容易に取り付けることができる操作レバー用取付部品及び操作レバー用取付部品の取付方法を提供する。【構成】  取付部品Ａは、第１係合部材１００ａと、第２係合部材１００ｂと、固定部材２００とを備えている。第１係合部材１００ａは、操作レバー１０の操作部１１にＲ１方向側から係合可能な第１係合凹部１３４ａを有している。第２係合部材１００ｂは、操作部１１にＲ２方向側から係合可能な第２係合凹部１３４ｂを有している。固定部材２００は、第１、第２係合部材１００ａ、１００ｂの第１、第２係合凹部１３４ａ、１３４ｂが操作部１１に係合した状態で当該第１、第２係合部材１００ａ、１００ｂを固定可能な構成となっている。【選択図】      図１Ｂ
2015133244.tif 000002
【特許請求の範囲】
【請求項１】
操作レバーの操作部に第１方向の一方側から係合可能な第１係合凹部を有する第１係合部材と、
前記操作部に前記第１方向の他方側から係合可能な第２係合凹部を有する第２係合部材と、
前記第１、第２係合部材の前記第１、第２係合凹部が前記操作部に係合した状態で当該第１、第２係合部材を固定可能な固定部材とを備えている操作レバー用取付部品。
【請求項２】
請求項１記載の操作レバー用取付部品において、
前記第１、第２係合部材が開位置と閉位置との間で開閉可能となるように当該第１、第２係合部材を連結する連結部を更に備えており、
前記第１、第２係合部材が前記開位置から前記閉位置へ移動することによって、前記第１、第２係合凹部が前記操作部に係合する操作レバー用取付部品。
【請求項３】
請求項１〜２の何れかに記載の操作レバー用取付部品において、
前記固定部材は、筒部を有しており、
前記第１係合部材は、第１取付部を更に有しており、
前記第２係合部材は、第２取付部を更に有しており、
前記第１、第２係合部材の前記第１、第２係合凹部が前記操作部に係合した状態で、前記第１、第２取付部が互いに組み合わされて前記筒部内に螺着可能な筒状又は柱状をなす操作レバー用取付部品。
【請求項４】
請求項１〜２の何れかに記載の操作レバー用取付部品において、
前記固定部材は、筒部を有しており、
前記第１係合部材は、第１取付部を更に有しており、
前記第２係合部材は、第２取付部を更に有しており、
前記第１、第２係合部材の前記第１、第２係合凹部が前記操作部に係合した状態で、前記第１、第２取付部が互いに組み合わされて前記筒部内に嵌合可能な筒状又は柱状をなす操作レバー用取付部品。
【請求項５】
請求項１〜２の何れかに記載の操作レバー用取付部品において、
前記固定部材は、筒部を有しており、
前記第１係合部材は、第１取付部を更に有しており、
前記第２係合部材は、第２取付部を更に有しており、
前記第１、第２係合部材の前記第１、第２係合凹部が前記操作部に係合した状態で、前記第１、第２取付部が互いに組み合わされて前記筒部内に挿入可能な筒状又は柱状をなしており、
前記第１、第２取付部と前記筒部との何れか一方に係合凸部が設けられており、他方に係合凹部が設けられており、
前記組み合わされた第１、第２取付部が前記筒部内に挿入された状態で、前記係合凸部が前記係合凹部に係合される操作レバー用取付部品。
【請求項６】
第１係合部材の第１係合凹部を操作レバーの操作部に第１方向の一方側から係合させ、
第２係合部材の第２係合凹部を前記操作部に前記第１方向の他方側から係合させ、
前記第１、第２係合部材の前記第１、第２係合凹部が前記操作部に係合した状態で、当該第１、第２係合部材を固定部材に固定させる操作レバー用取付部品の取付方法。
【請求項７】
請求項６記載の操作レバー用取付部品の取付方法において、
前記第１、第２係合部材は、連結部によって、開位置と閉位置との間で開閉可能となるように連結されており、
前記第１係合部材の前記第１係合凹部の前記操作部に対する係合は、前記第１係合部材を前記開位置から前記閉位置へ移動させ、前記第１係合凹部を前記操作部に係合させることを含み、
前記第２係合部材の前記第２係合凹部の前記操作部に対する係合は、前記第２係合部材を前記開位置から前記閉位置へ移動させ、前記第２係合凹部を前記操作部に係合させることを含む操作レバー用取付部品の取付方法。
【請求項８】
請求項６又は７記載の操作レバー用取付部品の取付方法において、
前記固定部材は、筒部を有しており、
前記第１、第２係合部材は、当該第１、第２係合部材の前記第１、第２係合凹部が前記操作部に係合した状態で、互いに組み合わされて筒状又は柱状をなす第１、第２取付部を更に有しており、
前記固定部材の前記第１、第２係合部材に対する固定は、前記組み合わされた第１、第２取付部を前記筒部内に螺着又は嵌合させることを含む操作レバー用取付部品の取付方法。
【請求項９】
請求項６又は７記載の操作レバー用取付部品の取付方法において、
前記固定部材は、筒部を有しており、
前記第１、第２係合部材は、当該第１、第２係合部材の前記第１、第２係合凹部が前記操作部に係合した状態で、互いに組み合わされて筒状又は柱状をなす第１、第２取付部を更に有しており、
前記第１、第２取付部と前記筒部との何れか一方に係合凸部が設けられており、他方に係合凹部が設けられており、
前記固定部材の前記第１、第２係合部材に対する固定は、前記組み合わされた第１、第２取付部を前記筒部内に挿入させ、前記係合凸部を前記係合凹部に係合させることを含む操作レバー用取付部品の取付方法。
【発明の詳細な説明】
【技術分野】
【０００１】
本発明は、操作レバー用取付部品及び操作レバー用取付部品の取付方法に関する。
【背景技術】
【０００２】
従来のジョイスティックの操作レバーが下記特許文献１に記載されている。この操作レバーは十字方向に傾倒操作可能である。操作レバーは、軸部と、この軸部の上端部に設けられた操作部とを有している。この操作部が手で操作される。
【先行技術文献】
【特許文献】
【０００３】
【特許文献１】実開昭６２−１８６３３１号公報
【発明の概要】
【発明が解決しようとする課題】
【０００４】
ところで、上記ジョイスティックは家庭用ゲーム機等に搭載されるものがある。このジョイスティックの操作部はゲームの内容によって、激しく操作されることがある。操作部が激しく操作されると、手が操作部上で滑ることがある。これを解消するために、操作部の形状をゲームの内容に適した形状にし、操作性を向上させることが要求されている。この要求の答えとして、ゲームの内容に適した形状の別の操作部を操作部に取り付けることが考えられる。ただ、別の操作部も上述の通り激しく操作される場合があるため、操作部と別の操作部との取付強度を向上させることが求められる。
【０００５】
更に、上記ジョイスティックは家庭用ゲーム機に用いられることから、別の操作部を操作部に対して容易に取り付け可能であることが求められている。
【０００６】
本発明は、上記事情に鑑みて創案されたものであって、その目的とするところは、操作レバーの操作部に対する取付強度を向上させることができ且つ操作部に容易に取り付けることができる操作レバー用取付部品及び操作レバー用取付部品の取付方法を提供することにある。
【課題を解決するための手段】
【０００７】
上記課題を解決するために、本発明の操作レバー用取付部品は、第１係合部材と、第２係合部材と、固定部材とを備えている。前記第１係合部材は、操作レバーの操作部に第１方向の一方側から係合可能な第１係合凹部を有している。第２係合部材は、前記操作部に前記第１方向の他方側から係合可能な第２係合凹部を有している。前記固定部材は、前記第１、第２係合部材の前記第１、第２係合凹部が前記操作部に係合した状態で当該第１、第２係合部材を固定可能な構成となっている。
【０００８】
このような態様の取付部品は、以下の技術的特徴を有している。第１に、当該取付部品の操作レバーの操作部に対する取付強度を向上させることができる。なぜなら、第１係合部材の第１係合凹部が操作レバーの操作部に第１方向の一方側から係合し、第２係合部材の第２係合凹部が操作レバーの操作部に第１方向の他方側から係合した状態で、第１、第２係合部材が固定部材によって固定されるからである。第２に、当該取付部品を操作レバーの操作部に容易に取り付けることができる。第１、第２係合部材の第１、第２係合凹部を操作部に両側から係合させた後、固定部材で第１、第２係合部材を固定するだけであるからである。
【０００９】
前記取付部品は、連結部を更に備えた構成とすることが可能である。前記連結部は、前記第１、第２係合部材が開位置と閉位置との間で開閉可能となるように当該第１、第２係合部材を連結した構成とすることが可能である。前記第１、第２係合部材が前記開位置から前記閉位置へ移動することによって、前記第１、第２係合凹部が前記操作部に係合する構成とすることが可能である。
【００１０】
このような態様の取付部品は、操作レバーの操作部に対して更に容易に取り付けることができる。第１、第２係合部材が開位置から閉位置に移動させるだけで、当該第１、第２係合部材の第１、第２係合凹部を操作部に係合させることができるからである。
【００１１】
前記固定部材は、筒部を有した構成とすることが可能である。前記第１係合部材は、第１取付部を更に有した構成とすることが可能である。前記第２係合部材は、第２取付部を更に有した構成とすることが可能である。前記第１、第２係合部材の前記第１、第２係合凹部が前記操作部に係合した状態で、前記第１、第２取付部が互いに組み合わされて前記筒部内に螺着可能な筒状又は柱状をなす構成とすることが可能である。
【００１２】
このような態様の取付部品は、操作レバーの操作部に対して更に容易に取り付けることができる。第１、第２係合部材の第１、第２取付部を固定部材の筒部内に螺着させるだけで、第１、第２係合部材が固定部材によって固定されるからである。
【００１３】
又は、前記第１、第２係合部材の前記第１、第２係合凹部が前記操作部に係合した状態で、前記第１、第２取付部が互いに組み合わされて前記筒部内に嵌合可能な筒状又は柱状をなす構成とすることが可能である。
【００１４】
このような態様の取付部品は、操作レバーの操作部に対して更に容易に取り付けることができる。第１、第２係合部材の第１、第２取付部を固定部材の筒部内に嵌合させるだけで、第１、第２係合部材が固定部材によって固定されるからである。
【００１５】
又は、前記第１、第２係合部材の前記第１、第２係合凹部が前記操作部に係合した状態で、前記第１、第２取付部が互いに組み合わされて前記筒部内に挿入可能な筒状又は柱状をなす構成とすることが可能である。前記第１、第２取付部と前記筒部との何れか一方に係合凸部が設けられており、他方に係合凹部が設けられた構成とすることが可能である。前記組み合わされた第１、第２取付部が前記筒部内に挿入された状態で、前記係合凸部が前記係合凹部に係合される構成とすることが可能である。
【００１６】
このような態様の取付部品は、操作レバーの操作部に対して更に容易に取り付けることができる。第１、第２係合部材の第１、第２取付部を固定部材の筒部内に挿入し、係合凸部を係合凹部に係合させるだけで、第１、第２係合部材が固定部材によって固定されるからである。
【００１７】
本発明の操作レバー用取付部品の取付方法は、第１係合部材の第１係合凹部を操作レバーの操作部に第１方向の一方側から係合させる。第２係合部材の第２係合凹部を前記操作部に前記第１方向の他方側から係合させる。前記第１、第２係合部材の前記第１、第２係合凹部が前記操作部に係合した状態で、当該第１、第２係合部材を固定部材に固定させる。
【００１８】
このような態様の取付方法は、以下の技術的特徴を有している。第１に、当該取付部品の操作レバーの操作部に対する取付強度を向上させることができる。なぜなら、第１係合部材の第１係合凹部が操作レバーの操作部に第１方向の一方側から係合し、第２係合部材の第２係合凹部が操作レバーの操作部に第１方向の他方側から係合した状態で、第１、第２係合部材が固定部材によって固定されるからである。第２に、当該取付部品を操作レバーの操作部に容易に取り付けることができる。第１、第２係合部材の第１、第２係合凹部を操作部に両側から係合させた後、固定部材で第１、第２係合部材を固定するだけであるからである。
【００１９】
前記第１、第２係合部材は、連結部によって、開位置と閉位置との間で開閉可能となるように連結された構成とすることが可能である。前記第１係合部材の前記第１係合凹部の前記操作部に対する係合は、前記第１係合部材を前記開位置から前記閉位置へ移動させ、前記第１係合凹部を前記操作部に係合させることを含むことが可能である。前記第２係合部材の前記第２係合凹部の前記操作部に対する係合は、前記第２係合部材を前記開位置から前記閉位置へ移動させ、前記第２係合凹部を前記操作部に係合させることを含むことが可能である。
【００２０】
このような態様の取付方法は、取付部品を操作レバーの操作部に更に容易に取り付けることができる。第１、第２係合部材が開位置から閉位置に移動させるだけで、当該第１、第２係合部材の第１、第２係合凹部を操作部に係合させることができるからである。
【００２１】
前記固定部材は、筒部を有した構成とすることが可能である。前記第１、第２係合部材は、当該第１、第２係合部材の前記第１、第２係合凹部が前記操作部に係合した状態で、互いに組み合わされて筒状又は柱状をなす第１、第２取付部を更に有した構成とすることが可能である。前記固定部材の前記第１、第２係合部材に対する固定は、前記組み合わされた第１、第２取付部を前記筒部内に螺着又は嵌合させることを含むことが可能である。
【００２２】
このような態様の取付方法は、取付部品を操作レバーの操作部に更に容易に取り付けることができる。第１、第２係合部材の第１、第２取付部を固定部材の筒部内に螺着又は嵌合させるだけで、第１、第２係合部材が固定部材によって固定されるからである。
【００２３】
前記第１、第２取付部と前記筒部との何れか一方に係合凸部が設けられており、他方に係合凹部が設けられた構成とすることが可能である。前記固定部材の前記第１、第２係合部材に対する固定は、前記組み合わされた第１、第２取付部を前記筒部内に挿入させ、前記係合凸部を前記係合凹部に係合させることを含むことが可能である。
【００２４】
このような態様の取付方法は、取付部品を操作レバーの操作部に更に容易に取り付けることができる。第１、第２係合部材の第１、第２取付部を固定部材の筒部内に挿入し、係合凸部を係合凹部に係合させるだけで、第１、第２係合部材が固定部材によって固定されるからである。
【図面の簡単な説明】
【００２５】
【図１Ａ】本発明の実施例１に係る操作レバー用取付部品が操作レバーに取り付けられた状態を示す正面図である。
【図１Ｂ】前記取付部品の縦断面図である。
【図２Ａ】前記取付部品の分解正面図である。
【図２Ｂ】前記取付部品の分解側面図である。
【図３Ａ】前記取付部品の係合部材の図２Ｂ中の３Ａ−３Ａ断面図であって、当該係合部材の第１、第２係合部材が閉位置に位置した状態を示す図である。
【図３Ｂ】前記係合部材の図２Ｂ中の３Ａ−３Ａ断面図であって、当該係合部材の第１、第２係合部材が開位置に位置した状態を示す図である。
【図４】前記取付部品の固定部材の図２Ｂ中の４−４断面図である。
【発明を実施するための形態】
【００２６】
以下、本発明の実施例１に係る操作レバー用取付部品Ａについて図１Ａ〜図４を参照して説明する。取付部品Ａは、操作レバー１０の操作部１１に取り付け可能な部品である。操作レバー１０は、軸部１２と、軸部１２の上端に設けられた円板状の操作部１１とを有している。操作部１１の外径は、軸部１２の上端部の外径よりも大きい。
【００２７】
取付部品Ａは、係合部材１００と、固定部材２００とを備えている。以下、取付部品Ａの各構成要素について詳しく説明する。なお、図３Ａ及び図３Ｂに示すＲ１−Ｒ２は、係合部材１００の第１、第２係合部材１００ａ、１００ｂの開閉方向であり且つ特許請求の範囲の第１方向に相当する。Ｒ１は第１方向の一方側であり、Ｒ２は第１方向の他方側であり且つＲ１方向の反対側である。
【００２８】
係合部材１００は、図２Ａ〜図４に示すように、第１係合部材１００ａと、第２係合部材１００ｂと、連結部１００ｃとを有している。連結部１００ｃは、第１、第２係合部材１００ａ、１００ｂが閉位置（図３Ａ参照）と開位置（図３Ｂ参照）との間でＲ１−Ｒ２方向に開閉可能となるように第１、第２係合部材１００ａ、１００ｂを連結したヒンジである。本実施例１の閉位置は、第１、第２係合部材１００ａ、１００ｂの後述する第１、第２係合凹部１３４ａ、１３４ｂに操作部１１が係合される位置である。本実施例１の開位置は、第１、第２係合部材１００ａ、１００ｂの第１、第２係合凹部１３４ａ、１３４ｂと操作部１１との係合が解除される位置である。第１係合部材１００ａは閉位置から開位置にかけて移動（回動）するとき、Ｒ１方向側に移動（回動）する。第１係合部材１００ａは開位置から閉位置にかけて移動（回動）するとき、Ｒ２方向側に移動（回動）する。第２係合部材１００ｂは閉位置から開位置にかけて移動（回動）するとき、Ｒ２方向側に移動（回動）する。第２係合部材１００ｂは開位置から閉位置にかけて移動（回動）するとき、Ｒ１方向側に移動（回動）する。
【００２９】
第１係合部材１００ａは樹脂で構成されている。第１係合部材１００ａは、図１Ａ〜図３Ａに示すように、第１取付部１１０ａと、第１天板１２０ａと、第１保持部１３０ａと、第１凸部１４０ａとを有している。第１取付部１１０ａは半円筒である。第１取付部１１０ａは、半円周状の上端、半円周状の下端及び外周面を有している。第１取付部１１０ａの外周面にはネジ山１１１ａが形成されている。第１天板１２０ａは、第１取付部１１０ａの上端に設けられた半円板であって、内側に延びている。第１凸部１４０ａは、第１天板１２０ａの内側部上に設けられた矩形状の突脈である。
【００３０】
第１保持部１３０ａは、操作部１１を保持可能な部位である。第１保持部１３０ａは、図３Ａ及び図３Ｂに最も良く示されているように、第１本体部１３１ａ、第１底板１３２ａと、第１仕切り部１３３ａと、第１係合凹部１３４ａとを有している。第１本体部１３１ａは、上部と、下部とを有している。上部は、当該上部の径が下方に漸次拡径した略半円錐台状の筒である。上部は、半円周状の上端と、略半円周状の下端を有している。上部の上端は第１取付部１１０ａの下端に一体的に繋がっている。下部は略半円筒である。下部も、略半円周状の上端及び下端を有している。下部の上端は上部の下端に一体的に繋がっている。第１底板１３２ａは、第１本体部１３１ａの下部の下端に設けられた略半リング状の板であって、内側に延びている。第１底板１３２ａの内径は、操作レバー１０の操作部１１の外径よりも小さい。第１仕切り部１３３ａは、第１本体部１３１ａの内面の上部と下部の境界部分に設けられた略半円板状の板であって、内側に延びている。第１仕切り部１３３ａによって、第１保持部１３０ａの内部空間が上側空間と下側空間とに区切られている。この下側空間が第１係合凹部１３４ａとなっている。第１係合凹部１３４ａの形は操作部１１の略半分の外形に対応した形状となっている。第１係合部材１００ａが開位置から閉位置にかけて移動することによって、第１係合凹部１３４ａが操作部１１の略半分にＲ１方向側から係合可能となっている。換言すると、第１係合部材１００ａの第１保持部１３０ａがＲ１方向側から操作部１１に接近することによって、操作部１１の略半分が第１保持部１３０ａの第１係合凹部１３４ａに嵌合可能となっている。このように第１保持部１３０ａが操作部１１の略半分を保持可能になっている。
【００３１】
第２保持部１３０ｂは、操作部１１を保持可能な部位である。第２係合部材１００ｂは、第１係合部材１００ａの対称形状である以外、第１係合部材１００ａと同じ構成である。よって、第２係合部材１００ｂについて第１係合部材１００ａと重複する説明は省略する。第２、第１凸部１４０ｂ、１４０ａの上面に連結部１００ｃが取り付けられている。第２、第１係合部材１００ｂ、１００ａが閉位置に位置した状態で、第２凸部１４０ｂの内面と第１凸部１４０ａの内面とが互いに当接するようになっている。
【００３２】
第２保持部１３０ｂの第２係合凹部１３４ｂの形は操作部１１の残りの略半分の外形に対応した形状となっている。第２係合凹部１３４ｂが開位置から閉位置にかけて移動することによって、第２係合凹部１３４ｂが操作部１１の残りの略半分にＲ２方向側から係合可能となっている。換言すると、第２係合部材１００ｂの第２保持部１３０ｂがＲ２方向側から操作部１１に接近することによって、操作部１１の残りの略半分が第２保持部１３０ｂの第２係合凹部１３４ｂに嵌合可能となっている。このように第２保持部１３０ｂが操作部１１の残りの略半分を保持可能になっている。なお、図３Ａ及び図３Ｂ中の１３１ｂは、第２保持部１３０ｂの第２本体部である。図２Ａ、図３Ａ及び図３Ｂ中の１３２ｂは、第２保持部１３０ｂの第２底板であり、１３３ｂは第２保持部１３０ｂの第２仕切り部である。
【００３３】
第１、第２係合部材１００ａ、１００ｂが閉位置に位置した状態（第１、第２係合凹部１３４ａ、１３４ｂが操作部１１に係合された状態）で、第２取付部１１０ｂと第１取付部１１０ａとが互いに組み合わされて円筒をなすようになっている。この状態で、第２取付部１１０ｂのネジ山１１１ｂが第１取付部１１０ａのネジ山１１１ａに連続し、螺旋状をなすようになっている。第１、第２係合部材１００ａ、１００ｂが閉位置に位置した状態で、第２天板１２０ｂと第１天板１２０ａとが互いに組み合わされて円板をなすようになっている。
【００３４】
固定部材２００は、操作レバー１０の操作部１１の代りに操作される操作部である。固定部材２００は樹脂で構成されている。固定部材２００は、図１Ａ〜図２Ｂ及び図４に示すように、筒部２１０と、カバー２２０と、閉塞部２３０と、トップ部２４０とを有している。筒部２１０は、上述の通り組み合わされた第１、第２取付部１１０ａ、１１０ｂの外径に対応した内径を有する円筒である。筒部２１０は、円周状の上縁と、円周状の下縁と、内周面と、ネジ溝２１１とを有している。ネジ溝２１１は筒部２１０の内周面に設けられている。ネジ溝２１１は第１、第２取付部１１０ａ、１１０ｂのネジ山１１１ａ、１１１ｂに対応しており且つ当該ネジ山１１１ａ、１１１ｂが挿入可能になっている。すなわち、組み合わされた第１、第２取付部１１０ａ、１１０ｂが筒部２１０内に螺着可能となっている。筒部２１０内に第１、第２取付部１１０ａ、１１０ｂが螺着された状態で、当該筒部２１０内に係合部材１００の連結部１００ｃ、第１、第２係合部材１００ａ、１００ｂの第１、第２天板１２０ａ、１２０ｂ及び第１、第２凸部１４０ａ、１４０ｂが収容される。
【００３５】
カバー２２０は、当該カバー２２０の径が下方に漸次拡径した円錐台状の筒であって、筒部２１０の下縁に連接されている。カバー２２０の内形は、係合部材１００の第１、第２本体部１３１ａ、１３１ｂの上部の外形に対応している。第１、第２取付部１１０ａ、１１０ｂが筒部２１０に螺着された状態で、カバー２２０が第１、第２本体部１３１ａ、１３１ｂの上部に当接又は間隙を有して覆うようになっている。
【００３６】
閉塞部２３０は、筒部２１０の上縁に設けられており且つ筒部２１０の上側の開口を塞いでいる。トップ部２４０は、閉塞部２３０上に設けられた略円筒である。
【００３７】
以下、上述した構成の取付部品Ａを操作レバー１０の操作部１１に取り付ける手順について説明する。まず、取付部品Ａの係合部材１００を用意する。その後、係合部材１００の第１、第２係合部材１００ａ、１００ｂを開位置に位置させた状態で、操作レバー１０の操作部１１上に係合部材１００の連結部１００ｃが位置するように、係合部材１００を配置する。その後、係合部材１００の第１、第２係合部材１００ａ、１００ｂを開位置から閉位置に移動させる。すると、第１係合部材１００ａの第１保持部１３０ａがＲ１方向側から操作部１１に接近し、第１保持部１３０ａの第１係合凹部１３４ａに操作レバー１０の操作部１１の略半分が嵌合すると共に、第２係合部材１００ｂの第２保持部１３０ｂのＲ２方向側から操作部１１に接近し、第２保持部１３０ｂの第２係合凹部１３４ｂに操作レバー１０の操作部１１の残りの略半分が嵌合する。このようにして第１、第２係合部材１００ａ、１００ｂの第１、第２保持部１３０ａ、１３０ｂに操作部１１が挟持（保持）される。
【００３８】
第１、第２係合部材１００ａ、１００ｂが閉位置に位置したとき、第１、第２係合部材１００ａ、１００ｂの第１、第２取付部１１０ａ、１１０ｂが組み合わされ、円筒となる。第２天板１２０ｂと第１天板１２０ａとが互いに組み合わされて円板をなす。第２凸部１４０ｂの内面と第１凸部１４０ａの内面とが互いに当接する。
【００３９】
その後、固定部材２００を用意する。第１、第２係合部材１００ａ、１００ｂの第１、第２取付部１１０ａ、１１０ｂを固定部材２００のカバー２２０から筒部２１０内に挿入し、当該第１、第２取付部１１０ａ、１１０ｂを筒部２１０内に螺着させる。すると、筒部２１０内に、連結部１００ｃ、第１、第２係合部材１００ａ、１００ｂの第１、第２天板１２０ａ、１２０ｂ及び第１、第２凸部１４０ａ、１４０ｂが収容される。カバー２２０が第１、第２係合部材１００ａ、１００ｂの第１、第２本体部１３１ａ、１３１ｂの上部に当接又は覆う。このようにして固定部材２００が第１、第２係合部材１００ａ、１００ｂに取り付けられ、固定部材２００が第１、第２係合部材１００ａ、１００ｂを閉位置で固定する。
【００４０】
以上のような取付部品Ａは、以下の技術的特徴を有している。第１に、取付部品Ａの操作レバー１０の操作部１１に対する取付強度を向上させることができる。なぜなら、第１係合部材１００ａの第１係合凹部１３４ａが操作部１１にＲ１方向側から係合し、第２係合部材１００ｂの第２係合凹部１３４ｂ部が操作部１１にＲ２方向側から係合した状態（すなわち、第１、第２係合部材１００ａ、１００ｂの第１、第２保持部１３０ａ、１３０ｂに挟持された状態）で、第１、第２係合部材１００ａ、１００ｂが固定部材２００によって固定されるからである。
【００４１】
第２に、取付部品Ａを操作部１１に容易に取り付けことができる。第１、第２係合部材１００ａ、１００ｂを開位置から閉位置にかけて移動させ、第１、第２係合部材１００ａ、１００ｂの第１、第２係合凹部１３４ａ、１３４ｂを操作部１１に両側から係合させた後、固定部材２００の筒部２１０内に第１、第２係合部材１００ａ、１００ｂの第１、第２取付部１１０ａ、１１０ｂを螺着させる。これにより、取付部品Ａを操作部１１に取り付けることができるからである。
【００４２】
第３に、取付部品Ａを操作部１１から容易に取り外すことができる。固定部材２００の筒部２１０と第１、第２係合部材１００ａ、１００ｂの第１、第２取付部１１０ａ、１１０ｂとの螺着を解除し、第１、第２係合部材１００ａ、１００ｂを閉位置から開位置に移動させる。これにより、取付部品Ａを操作部１１から取り外すことができるからである。
【００４３】
第４に、固定部材２００を、外形が相違する別の固定部材（筒部２１０を有する。）に交換するだけで（具体的には、前記別の固定部材の筒部２１０に第１、第２係合部材１００ａ、１００ｂの第１、第２取付部１１０ａ、１１０ｂを螺着させるだけで）、ユーザーが実際に操作する操作部を交換することができる。
【００４４】
なお、上述した取付部品は、上記実施例に限定されるものではなく、特許請求の範囲の記載範囲において任意に設計変更することが可能である。以下、詳しく述べる。
【００４５】
本発明の取付部品は、操作レバーの操作部に第１方向の一方側から係合可能な第１係合凹部を有する第１係合部材と、前記操作部に前記第１方向の他方側から係合可能な第２係合凹部を有する第２係合部材と、前記第１、第２係合部材の前記第１、第２係合凹部が前記操作部に係合した状態で当該第１、第２係合部材を固定可能な固定部材とを備えている限り任意に設計変更することが可能である。
【００４６】
本発明の第１係合部材は、操作レバーの操作部に第１方向の一方側から係合可能な第１係合凹部を有する限り任意に設計変更することが可能である。本発明の第１係合凹部の形状は、操作部の第１方向の一方側の部分の形状に応じて適宜設計変更することが可能である。本発明の第２係合部材は、操作レバーの操作部に第１方向の他方側から係合可能な第２係合凹部を有する限り任意に設計変更することが可能である。本発明の第２係合凹部の形状は、前記操作部の第１方向の他方側の部分の形状に応じて適宜設計変更することが可能である。なお、本発明の第１、第２係合凹部が係合可能な操作レバーの操作部は、当該操作部の外形が軸部の上端部より大きい限りどのようなものであっても良い。例えば、操作部は、軸部の上端部に連接された球状、略半球、円板、円柱又は多面体（例えば、多角形状の板や柱）とすることが可能である。
【００４７】
本発明の第１、第２係合部材の第１、第２取付部は省略可能である。本発明の第１、第２係合部材の第１、第２取付部は、上述した何れかの態様の第１、第２係合部材が閉位置に位置した状態で、互いに組み合わされて筒状又は柱状をなす構成とすることが可能である。当該筒状又は柱状は、円筒状、多角筒状、円柱状又は多角柱状を含む。なお、本発明の第１、第２係合部材の第１、第２天板及び第１、第２凸部は省略可能である。
【００４８】
本発明の連結部は省略可能である。この場合、上述した第１、第２係合部材を閉じ合わせ、第１係合部材の第１係合凹部を操作レバーの操作部に第１方向の一方側から係合させ、第２係合部材の第２係合凹部を前記操作部に第１方向の他方側から係合させると良い。本発明の連結部は、上述した何れかの態様の第１、第２係合部材が開位置と閉位置との間で開閉可能となるように当該第１、第２係合部材を連結する限り任意に設計変更することが可能である。例えば、連結部は、上述した何れかの態様の第１、第２係合部材の第１、第２取付部又は第１、第２保持部の外面に取り付けられたヒンジであって、第１、第２係合部材が開位置と閉位置との間で観音開き状に開閉可能な構成とすることが可能である。また、本発明の連結部としては、上記実施例１又は上述した設計変形例のヒンジに代えて、略Ｕ字状のアームを用いることが可能である。このアームは、上述した第１、第２係合部材の第１、第２凸部、第１、第２取付部又は第１、第２保持部の外面に一体的に連接された樹脂アームとすると良い。
【００４９】
本発明の固定部材は、上述した何れかの態様の第１、第２係合部材の第１、第２係合凹部が操作部に係合した状態で当該第１、第２係合部材を固定可能な構成である限り任意に設計変更することが可能である。例えば、固定部材は、上述した何れかの態様の第１、第２取付部が螺着、嵌合（締り嵌め）又は挿入可能な筒部を有する構成とすることが可能である。組み合わせられた前記第１、第２取付部が筒部内に挿入される場合、前記第１、第２取付部と前記筒部との何れか一方に係合凸部が設けられており、他方に係合凹部が設けられた構成とすることが可能である。この場合、組み合わせられた前記第１、第２取付部が固定部材の筒部内に挿入され、前記係合凸部が前記係合凹部に係合される。また、固定部材は、上述した何れかの態様の第１、第２係合部材の第１、第２係合凹部が操作部に係合した状態で当該第１、第２係合部材を挟持して固定可能なクランプ等であっても良い。
【００５０】
本発明の固定部材のトップ部及び／又はカバーは省略可能である。本発明の固定部材には、別の操作部が取り付けられる構成とすることが可能である。
【００５１】
本発明の操作レバー用取付部品の取付方法は、上述した何れかの態様の第１係合部材の第１係合凹部を操作レバーの操作部に第１方向の一方側から係合させ、上述した何れかの態様の第２係合部材の第２係合凹部を前記操作部に前記第１方向の他方側から係合させ、前記第１、第２係合部材の前記第１、第２係合凹部が前記操作部に係合した状態で、当該第１、第２係合部材を上述した何れかの態様の固定部材に固定させる限り任意に設計変更することが可能である。
【００５２】
前記第１係合部材の前記第１係合凹部の前記操作部に対する係合は、前記第１係合部材を前記開位置から前記閉位置へ移動させ、前記第１係合凹部を前記操作部に係合させることを含む。前記第２係合部材の前記第２係合凹部の前記操作部に対する係合は、前記第２係合部材を前記開位置から前記閉位置へ移動させ、前記第２係合凹部を前記操作部に係合させることを含む。前記固定部材の前記第１、第２係合部材に対する固定は、前記組み合わされた第１、第２取付部を前記筒部内に嵌合（締り嵌め）又は螺着させること、又は、前記組み合わされた第１、第２取付部を前記筒部内に挿入させ、前記係合凸部を前記係合凹部に係合させることを含む。
【００５３】
なお、上記実施例における取付部品の各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。
【符号の説明】
【００５４】
１０・・・・・操作レバー
１１・・・・操作部
Ａ・・・・・・取付部品
１００・・・係合部材
１００ａ・第１係合部材
１１０ａ・第１取付部
１２０ａ・第１天板
１３０ａ・第１保持部
１４０ａ・第１凸部
１００ｂ・第２係合部材
１１０ｂ・第２取付部
１２０ｂ・第２天板
１３０ｂ・第２保持部
１４０ｂ・第２凸部
１００ｃ・連結部
２００・・・固定部材
２１０・・筒部
２２０・・カバー
２３０・・閉塞部
２４０・・トップ部
【図１Ａ】
2015133244.tif 000003
【図１Ｂ】
2015133244.tif 000004
【図２Ａ】
2015133244.tif 000005
【図２Ｂ】
2015133244.tif 000006
【図３Ａ】
2015133244.tif 000007
【図３Ｂ】
2015133244.tif 000008
【図４】
2015133244.tif 000009